(57)【要約】【課題】金庫内の物品の盗難を防止する以外に、金庫ごと盗難するのも防止することができる携帯式金庫の構造を提供する。【解決手段】金庫上に盗難防止警報装置を設置し、盗難防止警報装置は、電子制御回路、センサー素子、切り換えスイッチ、電池ユニット、ブザー、からなり、時間検出と移動検出等の功能を有する。携帯式金庫は盗難防止警報装置を結合した後、金庫上に既にあるロック以外に、更に、一層の警報保護を有する。【選択図】図１
0003137365.tif 000002
【実用新案登録請求の範囲】
【請求項１】
携帯式金庫の構造であって、箱体、蓋体、及び、枢接部からなり、前記箱体上は、鍵穴とスイッチを設置し、その特徴は前記盗難防止警報装置を前記箱体の所定のスロット内に固定し、前記盗難防止警報装置は前記箱体のスロット内に隠蔵され、切り換えスイッチを前記箱体の適当な場所に設置し、底部は、更に、底部センサーを設置し、前記盗難防止警報装置の設置により、盗難防止目的を達成することを特徴とする携帯式金庫の構造。
【請求項２】
前記盗難防止警報装置は、更に、電子制御回路、センサー素子、切り換えスイッチ、電池ユニット、及び、ブザーを有し、同時、或いは、選択方式で、時間検出盗難防止モード、及び、振動検出盗難防止モードの二モードを使用することができることを特徴とする、請求項１に記載の携帯式金庫の構造。
【請求項３】
前記センサー素子は振動センサーユニットであることを特徴とする、請求項２に記載の携帯式金庫の構造。
【考案の詳細な説明】
【技術分野】
【０００１】
本考案は携帯式金庫の構造に関し、特に、盗難防止警報装置を結合し、多層の盗難防止保護を有する携帯式金庫の構造に関するものである。
【背景技術】
【０００２】
公知の携帯式金庫は、使用者の貴重品を保管するために、金庫外にセンサーと取っ手スイッチを設置して、盗難を防止するものである。
【０００３】
泥棒が携帯式金庫を盗む時、音を立てずに、唯一のセンサーに対して処理や破壊を行い金庫内の貴重品を盗む。このような盗難は防ぐのが難しく、盗難後に盗難に遭ったことを発見することになり、通報処理にも時間がかかるので、大きな損失である。
【考案の開示】
【考案が解決しようとする課題】
【０００４】
本考案は携帯式金庫の構造を提供し、携帯式金庫に盗難防止警報装置を結合し、金庫上に既にあるロック以外に、更に一層の警報防護を追加して、盗難を防止することを目的とする。
【０００５】
本考案は携帯式金庫の構造を提供し、時間検出警報、及び、振動警報等の功能を有し、金庫内の物品の盗難と金庫ごとの盗難を防止することをもう一つの目的とする。
【課題を解決するための手段】
【０００６】
上述の目的を達成するため、本考案の携帯式金庫の構造は、金庫上に盗難防止警報装置を設置し、盗難防止警報装置は、電子制御回路と、センサー素子と、切り換えスイッチと、電池ユニットと、ブザーとからなる。
【０００７】
電子制御回路はセンサー素子と切り換えスイッチの信号を受信し、信号判断と計数功能を有し、入力信号を判断処理した後、出力信号をブザーに出力するか決定する。
【０００８】
センサー素子は振動センサーユニットで、振動源を感知した時、触発信号を電子制御回路に出力する。
【０００９】
切り換えスイッチは、盗難防止警報装置の起動スイッチとなるスイッチである。
【００１０】
電池ユニットは、盗難防止警報装置に必要な電源を提供する。
【００１１】
ブザーは、電子制御回路の触発信号を受信して、警報を発する。
【考案の効果】
【００１２】
本考案の携帯式金庫の構造は、金庫上に既にあるロック以外に、更に、一層の警報防護を追加し、更に時間検出警報、及び、振動警報等の功能を有し、盗難を防止する。
【考案を実施するための最良の形態】
【００１３】
図１で示されるように、本考案の携帯式金庫上に盗難防止警報装置１を設置し、盗難防止警報装置１は、電子制御回路１１と、センサー素子１２と、切り換えスイッチ１３と、電池ユニット１４と、ブザー１５と、からなる。
【００１４】
電子制御回路１１は、センサー素子１２と切り換えスイッチ１３の信号を受信し、信号判断と計数功能を有し、入力信号を判断処理した後、出力信号をブザー１５に出力するか決定する。
【００１５】
センサー素子１２は、振動センサーユニットで、振動源を感知した時、触発信号を電子制御回路１１に出力する。
【００１６】
切り換えスイッチ１３は、盗難防止警報装置１の起動スイッチとなるスイッチである。
【００１７】
電池ユニット１４は、盗難防止警報装置１に必要な電源を提供する。
【００１８】
ブザー１５は、電子制御回路１１の触発信号を受信して、警報を発する。
【００１９】
上述の盗難防止警報装置は、携帯式金庫上に設置され、同時、或いは、選択方式で、以下の二種の盗難防止モードを使用することができる。
【００２０】
時間検出盗難防止モード：物品を金庫に保管後、切り換えスイッチをオンにし、金庫の蓋を閉鎖後、時間検出盗難防止モードが起動する。金庫の蓋が再度開くと、電子制御回路が計数を起動させ、設定時間内に切り換えスイッチがオフにならなければブザーが鳴る。
【００２１】
振動検出盗難防止モード：物品を金庫に保管後、切り換えスイッチをオンにし、金庫の蓋を閉鎖後、振動検出盗難防止モードが起動する。金庫が移動する、或いは、金庫の蓋が開く時、過度の振動状況により、電子制御回路がブザーを鳴らす。
【００２２】
図２〜図５は、本考案の携帯式金庫２を示す図で、箱体２１、蓋体２２、及び、枢接部２３からなり、箱体２１底部は底部センサー３、鍵穴４、及び、スイッチ５からなる。盗難防止警報装置１は、ねじ６により箱体２１のスロット２１１内に鎖固され、切り換えスイッチ１３を箱体２１の適当な箇所に設置し、設置完成後、盗難防止警報装置１は、箱体２１のスロット２１１内に隠蔵され、これにより携帯式金庫２の置物空間に影響しない。蓋体２２を蓋した後、外観は、金庫２が盗難防止警報装置１を装着しているかとどうかが識別しにくく、箱体２１が平面を離れる時、盗難防止警報装置１を引動する。
【００２３】
本考案の携帯式金庫の構造と公知技術を比較すると、以下のような長所がある。
本考案は、携帯式金庫上に盗難防止警報装置を結合し、金庫の既にあるロック以外に、更に一層の警報保護を有し、盗難を防止する。
【００２４】
本考案は、時間検出警報と振動警報等の功能を有し、金庫内の物品が盗まれることや、直接、金庫ごと盗まれることを防止する。本考案が使用する盗難防止警報装置は、各種形式の携帯式金庫や保管箱に適用でき、設置が容易で廉価である等の長所がある。
【００２５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００２６】
【図１】本考案の携帯式金庫の構造の盗難防止警報装置の回路図
【図２】本考案の携帯式金庫の構造の部分的分解図
【図３】本考案の携帯式金庫の構造の実施例図
【図４】本考案の携帯式金庫の構造の立体図
【図５】本考案の携帯式金庫の構造の底部センサー装着図
【符号の説明】
【００２７】
１      盗難防止警報装置
１１    電子制御回路
１２    センサー素子
１３    切り換えスイッチ
１４    電池ユニット
１５    ブザー
２      携帯式金庫
２１１  スロット
２２    蓋体
２３    枢接部
３      底部センサー
４      鍵穴
５      スイッチ
６      ねじ
【図１】
0003137365.tif 000003
【図２】
0003137365.tif 000004
【図３】
0003137365.tif 000005
【図４】
0003137365.tif 000006
【図５】
0003137365.tif 000007